(57)【要約】【課題】画像形成開始までの時間を短くした上で、脱着可能に支持された感光体ドラム１６の脱着作業性を向上させることができる画像形成装置を得る。【解決手段】画像形成動作の待機時に、黒色画像又はカラー画像の使用比率に応じて、制御部５２が、リトラクタ機構５０を制御して黒色用感光体ドラム１６及びカラー用感光体ドラム１６と中間転写体ベルト１４との圧着状態を黒色モード又はカラーモード移行させる。また、制御手段５２は、感光体ドラム１６を交換する時期になると、画像形成動作の待機時に、リトラクタ機構５０を制御して常時黒色モードに移行させる。これにより、感光体ドラム１６を交換する際に、脱着部材５４のレバー部５８を操作して全ての感光体ドラム１６と中間転写体ベルト１４を離間させ、感光体ドラム１６を脱着可能な脱着モードに移行させる操作力を低減することができる。【選択図】図１
2010072304.tif 000002
【特許請求の範囲】
【請求項１】
表面に黒色のトナー画像が形成されると共に、装置本体に脱着可能に支持される黒色用像保持体と、
前記黒色用像保持体に隣接して設けられ、表面にカラー用のトナー画像が形成されると共に、装置本体に脱着可能に支持されるカラー用像保持体と、
前記黒色用像保持体及び前記カラー用像保持体に形成されたトナー画像が転写される中間転写体と、
前記中間転写体を挟んで前記黒色用像保持体及び前記カラー用像保持体と対向するように設けられ、前記中間転写体を前記黒色用像保持体及び前記カラー用像保持体に押し付けて前記黒色用像保持体及び前記カラー用像保持体に形成されたトナー画像を前記中間転写体に転写させる転写部材と、
前記転写部材を移動させ、前記黒色用像保持体だけに前記中間転写体を押し付ける黒色モードと、前記黒色用像保持体及び前記カラー用像保持体に前記中間転写体を押し付けるカラーモードへ切り替える切替手段と、
画像形成動作の待機時に、黒色画像又はカラー画像の使用比率に応じて前記切替手段を制御して、前記黒色用像保持体及び前記カラー用像保持体と前記中間転写体との圧着状態を黒色モード又はカラーモードに切り替えると共に、前記黒色用像保持体及び前記カラー用像保持体の少なくともいづれか一つを交換する時期になると、画像形成動作の待機時に、常時黒色モードに移行させる制御手段と、
前記黒色用像保持体及び前記カラー用像保持体と前記中間転写体を離間させて前記黒色用像保持体及び前記カラー用像保持体を前記装置本体から脱着可能な脱着モードに移行させる脱着手段と、
を備える画像形成装置。
【請求項２】
画像形成動作の待機時に、前記制御手段が前記切替手段を制御して常時黒色モードに移行させるのを無効にする無効化手段が設けられた請求項１に記載の画像形成装置。
【請求項３】
前記無効化手段によって前記制御手段による常時黒色モードへの移行が無効化された場合に、前記切替手段を作動させ、前記黒色用像保持体及び前記カラー用像保持体と前記中間転写体との圧着状態を黒色モード又はカラーモードに移行させる移行手段が設けられた請求項２に記載の画像形成装置。
【発明の詳細な説明】
【技術分野】
【０００１】
本発明は、画像形成装置に関する。
【背景技術】
【０００２】
特許文献１には、ユーザーが使用する頻度の高い画像形成モードに応じて、画像形成動作の待機時に、像保持体と中間転写体との圧着状態を黒色モード又はカラーモード移行させる画像形成装置が記載されている。
【０００３】
このように、画像形成動作の待機時における像保持体と中間転写体との圧着状態をユーザーが使用する頻度の高い画像形成モードにすることで、最初の記録媒体への画像形成開始までの時間を短くすることができる。
【特許文献１】特開２００２−１９６５６０号公報
【発明の開示】
【発明が解決しようとする課題】
【０００４】
本発明は、画像形成開始までの時間を短くした上で、脱着可能に支持された像保持体の脱着作業性を向上させることが課題である。
【課題を解決するための手段】
【０００５】
本発明の請求項１に係る画像形成装置は、表面に黒色のトナー画像が形成されると共に、装置本体に脱着可能に支持される黒色用像保持体と、前記黒色用像保持体に隣接して設けられ、表面にカラー用のトナー画像が形成されると共に、装置本体に脱着可能に支持されるカラー用像保持体と、前記黒色用像保持体及び前記カラー用像保持体に形成されたトナー画像が転写される中間転写体と、前記中間転写体を挟んで前記黒色用像保持体及び前記カラー用像保持体と対向するように設けられ、前記中間転写体を前記黒色用像保持体及び前記カラー用像保持体に押し付けて前記黒色用像保持体及び前記カラー用像保持体に形成されたトナー画像を前記中間転写体に転写させる転写部材と、前記転写部材を移動させ、前記黒色用像保持体だけに前記中間転写体を押し付ける黒色モードと、前記黒色用像保持体及び前記カラー用像保持体に前記中間転写体を押し付けるカラーモードへ切り替える切替手段と、画像形成動作の待機時に、黒色画像又はカラー画像の使用比率に応じて前記切替手段を制御して、前記黒色用像保持体及び前記カラー用像保持体と前記中間転写体との圧着状態を黒色モード又はカラーモードに切り替えると共に、前記黒色用像保持体及び前記カラー用像保持体の少なくともいづれか一つを交換する時期になると、画像形成動作の待機時に、常時黒色モードに移行させる制御手段と、前記黒色用像保持体及び前記カラー用像保持体と前記中間転写体を離間させて前記黒色用像保持体及び前記カラー用像保持体を前記装置本体から脱着可能な脱着モードに移行させる脱着手段と、を備えることを特徴とする。
【０００６】
本発明の請求項２に係る画像形成装置は、請求項１に記載において、画像形成動作の待機時に、前記制御手段が前記切替手段を制御して常時黒色モードに移行させるのを無効にする無効化手段が設けられたことを特徴とする。
【０００７】
本発明の請求項３に係る画像形成装置は、請求項２に記載において、前記無効化手段によって前記制御手段による常時黒色モードへの移行が無効化された場合に、前記切替手段を作動させ、前記黒色用像保持体及び前記カラー用像保持体と前記中間転写体との圧着状態を黒色モード又はカラーモードに移行させる移行手段が設けられたことを特徴とする。
【発明の効果】
【０００８】
本発明の請求項１の構成によれば、画像形成動作の待機時に、黒色画像又はカラー画像の使用比率に応じて、制御手段が、切替手段を制御して黒色用像保持体及びカラー用像保持体と中間転写体との圧着状態を黒色モード又はカラーモード移行させる。さらに、制御手段は、黒色用像保持体及びカラー用像保持体の少なくとも一つを交換する時期になると、画像形成動作の待機時に、切替手段を制御して黒色用像保持体及びカラー用像保持体と中間転写体との圧着状態を常時黒色モードに移行させる。そうすると、画像形成動作の待機時には、黒色用像保持体だけに中間転写体が押し付けられることとなる。
【０００９】
これにより、黒色用像保持体及びカラー用像保持体を交換する際に、脱着手段を操作して黒色用像保持体及び前記カラー用像保持体と前記中間転写体を離間させ、黒色用像保持体及びカラー用像保持体を装置本体に脱着可能な脱着モードに移行させる操作力を、画像形成動作の待機時にカラーモードで待機している場合と比して、低減することができる。つまり、画像形成開始までの時間を短くした上で、脱着可能に支持された像保持体の脱着作業性を向上させることができる。
【００１０】
本発明の請求項２の構成によれば、無効化手段は、画像形成動作の待機時に、制御手段が切替手段を制御して常時黒色モードに移行させるのを無効にする。このため、この構成を有さない場合と比して、例えば、カラーモードのみを使用するユーザーの場合には、常に最初のシート部材Ｐへの画像形成開始までの時間を短くすることができる。
【００１１】
本発明の請求項３の構成によれば、無効化手段によって制御手段による常時黒色モードへの移行が無効化された場合に、移行手段が切替手段を作動させ、黒色用像保持体及びカラー用像保持体と中間転写体との圧着状態を黒色モード又はカラーモードに移行させる。つまり、ユーザーが移行手段を操作することで、画像形成動作の待機時のモードをユーザーが選択できる。そして、ユーザーが適切なモードを選択することで、この構成を有さない場合と比して、常に最初の記録媒体への画像形成開始までの時間を短くすることができる。
【発明を実施するための最良の形態】
【００１２】
以下に、本発明の第１実施形態に係る画像形成装置の一例を図１〜図６に従って説明する。
【００１３】
（全体構成）
図６に示されるように、画像形成装置１０の装置本体１０Ａには、複数のローラ１２に張架され、モータ（図示省略）の駆動により矢印Ａ方向に搬送される中間転写体としての無端ベルト状の中間転写体ベルト１４が設けられている。
【００１４】
この画像形成装置１０は、カラー画像の形成に対応しており、イエロー（Ｙ）、マゼンタ（Ｍ）、シアン（Ｃ）、ブラック（Ｋ）の４色に対応するトナー像を形成する画像形成ユニット２８Ｙ、２８Ｍ、２８Ｃ、２８Ｋが、中間転写体ベルト１４の長手方向に沿って配置され、装置本体１０Ａに脱着可能に支持されている。
【００１５】
なお、各色毎に設けられた部材については、符号の末尾に各々の色を示すアルファベット（Ｙ／Ｍ／Ｃ／Ｋ）を付与して示すが、特に色を区別せずに説明する場合は、この符号末尾のアルファベットを省略して説明する。
【００１６】
画像形成ユニット２８は、図示しないモータ及びギアからなる駆動手段によって時計方向へ回転する像保持体としての感光体ドラム１６を備えている。そして、感光体ドラム１６は、表面に黒色のトナー画像が形成される黒色用の黒色用感光体ドラム１６Ｋと、表面にカラー用のトナー画像が形成されるカラー用感光体ドラム１６Ｙ、１６Ｍ、１６Ｃとに分けられる。
【００１７】
さらに、感光体ドラム１６の周面には、感光体ドラム１６の表面を所定の電位に一様に帯電させるための帯電ローラ１８が配置されている。帯電ローラ１８は、導電性のローラであり、その周面が感光体ドラム１６の周面に接触し、かつ帯電ローラ１８の軸線方向と感光体ドラム１６の軸線方向とが一致するように配置されている。
【００１８】
また、感光体ドラム１６の回転方向の帯電ローラ１８よりも下流側の周面には、感光体ドラム１６上に潜像を形成するための発光素子としてのＬＥＤ（発光ダイオード）を光源とした発光器としてのＬＥＤプリントヘッド（ＬＰＨ）２０が感光体ドラム１６の軸方向に延びている。なお、以後、ＬＥＤプリントヘッド２０をＬＰＨ２０と記載する。このＬＰＨ２０は、画像データに応じて光ビームを感光体ドラム１６に照射することにより、感光体ドラム１６上に潜像を形成するようになっている。
【００１９】
さらに、各感光体ドラム１６の回転方向のＬＰＨ２０よりも下流側の周面には、感光体ドラム１６上に形成された潜像を所定色（イエロー／マゼンタ／シアン／ブラック）のトナーによって現像してトナー像を形成させる現像器２２が配置されている。
【００２０】
現像器２２は、感光体ドラム１６に近接配置され、回転可能に設けられた円筒状の現像ローラ２４を有している。現像ローラ２４には、現像バイアスが印加され、現像器２２内に装填されたトナーが周面に付着される。現像ローラ２４の回転により、現像ローラ２４に付着されたトナーが感光体ドラム１６の表面に搬送され、トナーが感光体ドラム１６に擦りつけられて、感光体ドラム１６上に形成された潜像がドナー画像として現像される構成となっている。
【００２１】
また、各感光体ドラム１６の回転方向の現像器２２よりも下流側の周面には、各感光体ドラム１６上のトナー像を中間転写体ベルト１４に転写する転写部材としての転写ローラ３０が設けられている。転写ローラ３０は、所定の電位に帯電されて反時計方向に回転して中間転写体ベルト１４を所定の速度で搬送し、中間転写体ベルト１４を感光体ドラム１６に押し付けて順次対向させる。これにより、転写ローラ３０が、感光体ドラム１６上のトナー画像を中間転写体ベルト１４上に転写させるようになっている。
【００２２】
さらに、感光体ドラム１６を含んで構成される画像形成ユニット２８を装置本体１０Ａに対し脱着可能とする場合には、転写ローラ３０が後述する脱着部材５４によって移動して、感光体ドラム１６と中間転写体ベルト１４を離間（図２参照）させ、画像形成ユニット２８を装置本体１０Ａに対し脱着可能な脱着モードに移行するようになっている。なお、脱着部材５４等については詳細を後述する。
【００２３】
また、感光体ドラム１６の周面の転写ローラ３０よりも下流側には、感光体ドラム１６上の転写残トナーやリトランスファートナー等の残留トナーを回収するクリーニングブレード２６が配置されている。クリーニングブレード２６は、一辺が感光体ドラム１６と接触するように配設されており、中間転写体ベルト１４に転写されずに感光体ドラム１６上に残留したトナーや、転写時に感光体ドラム１６上に付着してしまった他の色のトナー等を削ぎとって回収するようになっている。
【００２４】
ここで、各画像形成ユニット２８により形成された互いに異なる色のトナー像は、中間転写体ベルト１４のベルト面上で、互いに重なり合うように転写される。これにより、中間転写体ベルト１４上にカラーのトナー像が形成される。なお、本実施形態では、このようにして４色のトナー像が重ねて転写されたトナー像を最終トナー像と称する。
【００２５】
４つの画像形成ユニット２８よりも中間転写体ベルト１４の搬送方向下流側には、対向する２つのローラ３４Ａ、３４Ｂからなる転写装置３４が配設されている。中間転写体ベルト１４上に形成された最終トナー像は、このローラ３４Ａ、３４Ｂの間に送り込まれ、画像形成装置１０の底部に設けられた用紙トレイ３６から取り出されて、ローラ３４Ａ、３４Ｂの間に搬送されてきたシート部材Ｐに転写されるようになっている。
【００２６】
また、最終トナー像が転写されたシート部材Ｐの搬送経路には、加熱ローラ４０Ａと加圧ローラ４０Ｂとからなる定着装置４０が配設されている。定着装置４０に搬送されたシート部材Ｐは、加熱ローラ４０Ａと加圧ローラ４０Ｂとによって挟持搬送されることにより、シート部材Ｐ上のトナーが溶融すると共にシート部材Ｐに圧着されて、定着される。
【００２７】
一方、転写装置３４よりも中間転写体ベルト１４の搬送方向下流側には、転写装置３４によってシート部材Ｐに転写されずに中間転写体ベルト１４上に残留したトナーを回収するクリーナ４２が配設されている。クリーナ４２には、中間転写体ベルト１４に接するようにブレード４４が備えられており、残留したトナーを擦り取ることによって回収する。
【００２８】
上記構成による画像形成装置１０では、次のようにして画像が形成される。
【００２９】
まず、帯電ローラ１８が、感光体ドラム１６の表面を予定の帯電部電位で一様にマイナス帯電する。さらに、帯電された感光体ドラム１６上の画像部分が予定の露光部電位になるようにＬＨＰ２０で露光を行ない感光体ドラム１６上に潜像が形成される。
【００３０】
さらに、回転する感光体ドラム１６上の潜像が現像器２２に備えられた現像ローラ２４を通過すると、電気力によって現像剤Ｇのトナーが潜像へ付着し、潜像はトナー画像として可視化される。
【００３１】
可視化された各色のトナー画像は、転写ローラ３０の電気力で中間転写体ベルト１４へ順次転写され、中間転写体ベルト１４上にカラーの最終トナー画像が形成される。
【００３２】
この最終トナー像は、転写装置３４に設けられたローラ３４Ａ、３４Ｂの間に送り込まれ、用紙トレイ３６から取り出されて、同じくローラ３４Ａ、３４Ｂの間に搬送されてきたシート部材Ｐに転写される。
【００３３】
さらに、シート部材Ｐへ転写されたトナー画像は定着装置４０で定着され、シート部材Ｐは、装置外へ排出される。
【００３４】
なお、黒色画像を形成する場合は、感光体ドラム１６と中間転写体ベルト１４との圧着状態を黒色モード（図１参照）とし、カラー画像を形成する場合は、感光体ドラム１６と中間転写体ベルト１４との圧着状態をカラーモード（図３参照）とする。この黒色モード及びカラーモードについては詳細を後述する。
【００３５】
（要部構成）
前述したように、本実施形態に係る画像形成装置１０によって黒色画像を形成する場合は、図１に示されるように、感光体ドラム１６と中間転写体ベルト１４との圧着状態を黒色モードに移行させる。
【００３６】
詳細には、駆動モータ、クラッチ、カム、リンク機構等から構成され、カラー用感光体ドラム１６Ｙ、１６Ｍ、１６Ｃに対向配置された転写ローラ３０をカラー用感光体ドラム１６Ｙ、１６Ｍ、１６Ｃに対して接近又は離間するように移動させる切替手段としてのリトラクタ機構５０が設けられている。
【００３７】
そして、感光体ドラム１６の表面が削れるのを防止するため、黒色モードの際には、リトラクタ機構５０を作動させて転写ローラ３０を移動し、カラー用感光体ドラム１６Ｙ、１６Ｍ、１６Ｃから中間転写体ベルト１４を離間させる構成となっている。つまり、黒色モードでは、感光体ドラム１６の表面が削れるのを防止するため、黒色用感光体ドラム１６Ｋに対向して配置された転写ローラ３０だけが、中間転写体ベルト１４を黒色用感光体ドラム１６Ｋへ押し付ける。
【００３８】
これに対し、図３に示されるように、カラーモードの際には、このリトラクタ機構５０を作動させて転写ローラ３０を移動し、カラー用感光体ドラム１６Ｙ、１６Ｍ、１６Ｃへ中間転写体ベルト１４を押し付ける構成となっている。つまり、カラーモードでは、全ての感光体ドラム１６に対向して配置された転写ローラ３０が、中間転写体ベルト１４を全ての感光体ドラム１６へ押し付ける。
【００３９】
また、このリトラクタ機構５０を制御する制御手段としての制御部５２が設けられており、画像形成動作の待機時に、黒色画像又はカラー画像の使用比率に応じてリトラクタ機構５０を制御して、黒色用感光体ドラム１６Ｋ及びカラー用感光体ドラム１６Ｙ、１６Ｍ、１６Ｃと中間転写体ベルト１４との圧着状態を黒色モード（図１参照）又はカラーモード（図３参照）に切り替えるようになっている。
【００４０】
詳細には、図４に示されるように、画像形成動作が終了すると、次回のＪＯＢで黒色画像又はカラー画像のどちらを使用するかの予測をする。具体的には、過去の全体使用比率、カレンダー使用比率（以前のその日における使用比率）及び直近使用比率を２乗和平均して比率の高いモードに移行させる。本実施形態では、黒色画像がカラー画像より比率が高いため、黒色モードに移行するようになっている。
【００４１】
このように、画像形成動作の待機時におけるモードを選択することで、次回の画像形成時に、最初のシート部材Ｐへの画像形成開始までの時間が短くなる。
【００４２】
さらに、制御部５２は、各感光体ドラム１６の少なくとも一つを交換する時期になると、画像形成動作の待機時に、リトラクタ機構５０を制御して常時黒色モードに移行させるようになっている。
【００４３】
本第１実施形態の感光体ドラム１６を交換する時期は、あらかじめ設定されているＷａｒｎｉｎｇ枚数、又はＷａｒｎｉｎｇ回転数に到達した時期であって、Ｗａｒｎｉｎｇ枚数、又はＷａｒｎｉｎｇ回転数に到達したら、制御部５２が図示せぬ表示パネルにＷａｒｎｉｎｇ表示を行い、画像形成動作の待機時に、リトラクタ機構５０を制御して常時黒色モードに移行させるようになっている。
【００４４】
つまり、図５（Ａ）に示されるように、感光体ドラム１６の寿命を１００として、Ｗａｒｎｉｎｇｐｏｉｎｔに達するまで（図中範囲Ａ）は、制御部５２は、画像形成動作の待機時に、黒色画像又はカラー画像の使用比率に応じてリトラクタ機構５０を制御する。これに対し、Ｗａｒｎｉｎｇｐｏｉｎｔに達した以降（図中範囲Ｂ）は、制御部５２は、画像形成動作の待機時に、リトラクタ機構５０を制御して常時黒色モードに移行させるようになっている。
【００４５】
一方、図３に示されるように、感光体ドラム１６に対向配置される転写ローラ３０を動かし、黒色用感光体ドラム１６Ｋ及びカラー用感光体ドラム１６Ｙ、１６Ｍ，１６Ｃと中間転写体ベルト１４を離間させて感光体ドラム１６を備える画像形成ユニット２８を装置本体１０Ａから脱着可能な脱着モードに移行させる脱着手段として脱着部材５４が設けられている。
【００４６】
詳細には、脱着部材５４は、各転写ローラ３０を支持する支持部５６と、支持部５６に回転可能に取り付けられ、矢印Ｂ方向に回転させることで支持部５６を移動させて感光体ドラム１６と中間転写体ベルト１４を離間させて脱着モード（図２参照）に移行させるレバー部５８を備えている。
【００４７】
つまり、ユーザーが感光体ドラム１６を備えた画像形成ユニット２８を交換する際には、レバー部５８を回転させ、感光体ドラム１６と中間転写体ベルト１４を離間させてから画像形成ユニット２８を交換するようになっている。
【００４８】
ここで、レバー部５８を回転させるのに必要な操作力は、感光体ドラム１６と中間転写体ベルト１４との圧着状態が黒色モードの場合は８Ｎである。これに対し、感光体ドラム１６と中間転写体ベルト１４との圧着状態がカラーモードの場合は、全ての感光体ドラム１６に中間転写体ベルト１４が押し付けられているため、操作力は１５Ｎとなる。
【００４９】
そこで、前述したように、制御部５２は、感光体ドラム１６の少なくとも一つを交換する時期になると、画像形成動作の待機時に、リトラクタ機構５０を制御して常時黒色モードに移行させるようになっている。つまり、８Ｎの操作力でレバー部５８を回転させることで、全ての感光体ドラムと中間転写体ベルト１４を離間させて感光体ドラム１６を備える画像形成ユニット２８を装置本体１０Ａから脱着可能な脱着モードに移行させる構成となっている。
【００５０】
本発明の第２実施形態に係る画像形成装置を図７に従って説明する。なお、第１実施形態と同一部材については、同一符号を付してその説明を省略する。
【００５１】
本第２実施形態では、第１実施形態と違い、制御部５２がリトラクタ機構５０を制御して常時黒色モードに移行させるのを無効にする無効化手段としての無効部６０が設けられている。
【００５２】
さらに、無効部６０によって常時黒色モードへの移行が無効化された場合に、リトラクタ機構５０を作動させ、黒色用感光体ドラム１６Ｋ及びカラー用感光体ドラム１６Ｙ、１６Ｍ，１６Ｃと中間転写体ベルト１４との圧着状態を黒色モード又はカラーモードに移行させる移行手段としての移行部６２が設けられている。
【００５３】
ユーザーは、画像形成装置１０に設けられた表示パネルや自分のパソコンのモニター上で、無効部６０を作動させて常時黒色モードを無効化し、画像形成動作の待機時のモードを選択できる。つまり、ユーザーが適切なモードを選択することができるようになっている。
【００５４】
なお、一のユーザーが設定したモードは他のユーザーのパソコンのモニターで確認できるようになっており、現在どのモードに設定されているかが、全てのパソコンのモニターで分る構成となっている。
【００５５】
本発明の第３実施形態に係る画像形成装置を図５（Ｂ）に従って説明する。なお、第１実施形態と同一部材については、同一符号を付してその説明を省略する。
【００５６】
本第３実施形態では、感光体ドラム１６を交換する時期は、第１実施形態のようにあらかじめ設定されているＷａｒｎｉｎｇ枚数、又はＷａｒｎｉｎｇ回転数に到達した時期ではなく、感光体ドラム１６の性能を保証するライフエンドに到達した時期となっている。
【００５７】
つまり、図５（Ｂ）に示されるように、感光体ドラム１６の寿命を１００として、寿命１００（ライフエンド）に達するまで（図中範囲Ｃ）は、制御部５２は、画像形成動作の待機時に、黒色画像又はカラー画像の使用比率に応じてリトラクタ機構５０を制御する。これに対し、ライフエンド（図中Ｄ）に達すると、制御部５２は、画像形成動作の待機時に、リトラクタ機構５０を制御して黒色モードに移行させるようになっている。
【図面の簡単な説明】
【００５８】
【図１】本発明の第１実施形態に係る画像形成装置の中間転写体ベルト、転写ローラ及び感光体ドラムを備えた画像形成ユニット等を示した構成図である。
【図２】本発明の第１実施形態に係る画像形成装置の中間転写体ベルト、転写ローラ及び感光体ドラムを備えた画像形成ユニット等を示した構成図である。
【図３】本発明の第１実施形態に係る画像形成装置の中間転写体ベルト、転写ローラ及び感光体ドラムを備えた画像形成ユニット等を示した構成図である。
【図４】本発明の第１実施形態に係る画像形成装置に採用された制御部の制御フローを示したフロー図である。
【図５】（Ａ）本発明の第１実施形態に係る画像形成装置に採用された制御部の制御タイミングを示したタイミング図である。（Ｂ）本発明の第３実施形態に係る画像形成装置に採用された制御部の制御タイミングを示したタイミング図である。
【図６】本発明の第１実施形態に係る画像形成装置を示した概略構成図である。
【図７】本発明の第２実施形態に係る画像形成装置の中間転写体ベルト、転写ローラ及び感光体ドラムを備えた画像形成ユニット等を示した構成図である
【符号の説明】
【００５９】
１０        画像形成装置
１０Ａ      装置本体
１４        中間転写体ベルト（中間転写体）
１６Ｙ      カラー用感光体ドラム（カラー用像保持体）
１６Ｍ      カラー用感光体ドラム（カラー用像保持体）
１６Ｃ      カラー用感光体ドラム（カラー用像保持体）
１６Ｋ      黒色用感光体ドラム（黒色用像保持体）
２８        画像形成ユニット
３０        転写ローラ（転写部材）
５０        リトラクタ機構（切替手段）
５２        制御部（制御手段）
５４        脱着部材（脱着手段）
６０        無効部(無効化手段）
６２        移行部（移行手段）
【図１】
2010072304.tif 000003
【図２】
2010072304.tif 000004
【図３】
2010072304.tif 000005
【図４】
2010072304.tif 000006
【図５】
2010072304.tif 000007
【図６】
2010072304.tif 000008
【図７】
2010072304.tif 000009